(57)【要約】【課題】  サムネイル画像データを用いてコマ送り再生を行う場合に、ユーザーが所望する画像を適切に表示することの可能な画像表示装置を提供する。【解決手段】  ユーザーが所望する画像の画像番号が００７であった場合、ユーザーが指示キー２２の押圧を解除するのは、００７の表示から所定時間Ｔ２後で０１０の画像が表示されている時である。そこで、所定時間Ｔ２前に表示されていた００７の画像をＬＣＤ１８に表示させるようにする。これにより、ユーザーが所望の画像をＬＣＤ１８上で確認した時と、指示キー２２の押下を解除する時のタイムラグを解消して、ユーザーの所望の画像を適切に表示することができる。【選択図】  図４
2005274661.tif 000002
【特許請求の範囲】
【請求項１】
記憶手段に記憶された複数のフル画像及びこのフル画像に対応するサムネイル画像を読出す読出し手段と、
前記フル画像及びサムネイル画像を表示する表示手段と、
前記読出し手段に読出されたフル画像及びサムネイル画像の少なくとも一方を前記表示手段に表示させる制御手段と、
ユーザーからの表示指示動作により前記表示手段へのフル画像の表示指示、及び、前記表示手段へのサムネイル画像の表示指示を前記制御手段へ択一的に入力可能とされ、ユーザーからの前記表示指示動作の継続時間が所定継続時間以上の場合には前記サムネイル画像の表示を指示し、前記表示指示動作の継続時間が所定継続時間未満の場合にはフル画像の表示を指示する入力手段と、
を備え、
前記制御手段は、前記表示指示動作の解除により前記複数のサムネイル画像の連続した順次切換え表示を中断し、前記表示指示動作の解除時より所定動作時間前に前記表示手段に表示されたサムネイル画像を前記表示手段に表示させることを特徴とする、
画像表示装置。
【請求項２】
記憶手段に記憶された複数のフル画像及びこのフル画像に対応するサムネイル画像を読出す読出し手段と、
前記フル画像及びサムネイル画像を表示する表示手段と、
前記読出し手段に読出されたフル画像及びサムネイル画像の少なくとも一方を前記表示手段に表示させる制御手段と、
ユーザーからの表示指示動作により前記表示手段へのフル画像の表示指示、及び、前記表示手段へのサムネイル画像の表示指示を前記制御手段へ択一的に入力可能とされ、ユーザーからの前記表示指示動作の継続時間が所定継続時間以上の場合には前記サムネイル画像の表示を指示し、前記表示指示動作の継続時間が所定継続時間未満の場合にはフル画像の表示を指示する入力手段と、
を備え、
前記制御手段は、前記サムネイル画像が前記表示手段に表示される表示時間が所定表示時間未満の場合には、前記表示時間が所定表示時間となるように前記表示手段を制御することを特徴とする、
画像表示装置。
【発明の詳細な説明】
【技術分野】
【０００１】
本発明は、画像表示装置に係り、フル画像及びこのフル画像に対応するサムネイル画像を表示可能な画像表示装置に関する。
【背景技術】
【０００２】
従来より、記録媒体に記録されている画像データの画像をユーザーが確認する場合、当該画像を表示装置に表示することにより行ってきた。しかしながら、記録媒体の容量の増加に伴って記録可能な画像の画素数も増大し、そのため画素数の多い画像データが記録され画像の表示にかかる時間も長くなってきている。そこで、特許文献１に記載の技術では、フル画像をダウンサンプリングして画素数を減らし、ダウンサンプリングした画像を表示させることにより、画像表示にかかる時間の短縮化を図っている。また、特許文献２に記載の技術では、第１画像データのフル画像表示を実行中に、次の第２画像データの展開を開始して、第１画像の表示から第２画像の表示までに要する時間を短縮している。また、特許文献３に記載の技術では、まずサムネイル画像を表示し、サムネイル画像の表示中にフル画像の展開を行うと共に、次の画像表示の指示が入力されると、フル画像の展開を中断して、次のサムネイル画像の表示を実行することにより、次の画像の表示までの時間を短縮している。
【０００３】
しかしながら、特許文献１に記載の技術では、ユーザーはダウンサンプリングした画像でしか画像の確認ができない。また、特許文献２に記載の技術では、フル画像表示のための時間が前の画像の表示時間内に吸収されるものの、充分な表示時間の短縮は行えない。また、特許文献３に記載の技術では、最初にサムネイル画像の表示を行うため、フル画像表示を行いたい場合に、長時間かかってしまう。
【０００４】
一方、特許文献４には、フル画像を表示する通常再生と、サムネイル画像を拡大表示する高速選択再生とを、ユーザーのキー操作に応じて切換える技術が開示されている。また、特許文献５には、先送りボタン（逆戻しボタン）を１回押す毎にオリジナル画像を再生する通常再生モードが設定され、、同ボタンを２秒以上押し続けるとサムネイル画像データを順次読み出して再生する連続再生モードが設定される技術が開示されている。
【０００５】
特許文献４、５に記載の技術によれば、サムネイル画像データを用いて画像の再生が可能なので、ユーザーのニーズに合わせた高速のコマ送り再生の実行が可能である。
【０００６】
しかしながら、高速でのコマ送り再生を実行した場合、ユーザーが所望の画像を見つけるためにディスプレイ上に表示された画像を確認したくても、画像の表示時間が短すぎて確認できない事態が生じうる。また、所望の画像を見つけてコマ送りを中止した場合でも、高速でのコマ送りのため、コマ送りを中止した時点と所望の画像の表示時点との間にタイムラグが生じ、所望の画像がディスプレイ上に表示されない事態が生じうる。
【特許文献１】特開２０００−２９３１４５号公報
【特許文献２】特開２０００−１２５２５２号公報
【特許文献３】特開２０００−２０１３２１号公報
【特許文献４】特許第３３７９５３６号
【特許文献５】特許第３１７７４８３号
【発明の開示】
【発明が解決しようとする課題】
【０００７】
本発明は、上記事実を考慮して成されたものであり、サムネイル画像データを用いてコマ送り再生を行う場合に、ユーザーが所望する画像を適切に表示することの可能な画像表示装置を提供することを目的とする。
【課題を解決するための手段】
【０００８】
上記課題を解決するために、請求項１に記載の画像表示装置は、記憶手段に記憶された複数のフル画像及びこのフル画像に対応するサムネイル画像を読出す読出し手段と、前記フル画像及びサムネイル画像を表示する表示手段と、前記読出し手段に読出されたフル画像及びサムネイル画像の少なくとも一方を前記表示手段に表示させる制御手段と、ユーザーからの表示指示動作により前記表示手段へのフル画像の表示指示、及び、前記表示手段へのサムネイル画像の表示指示を前記制御手段へ択一的に入力可能とされ、ユーザーからの前記表示指示動作の継続時間が所定継続時間以上の場合には前記サムネイル画像の表示を指示し、前記表示指示動作の継続時間が所定継続時間未満の場合にはフル画像の表示を指示する入力手段と、を備え、前記制御手段は、前記表示指示動作の解除により前記複数のサムネイル画像の連続した順次切換え表示を中断し、前記表示指示動作の解除時より所定動作時間前に前記表示手段に表示されたサムネイル画像を前記表示手段に表示させることを特徴とする、ものである。
【０００９】
請求項１の画像表示装置では、記憶手段に記憶された複数のフル画像及びこのフル画像に対応するサムネイル画像の少なくとも一方が読出し手段により読出され、制御手段により表示手段に表示される。入力手段からは、ユーザーからの表示指示動作により、表示手段へのフル画像の表示またはサムネイル画像の表示を択一的に指示する入力が可能とされている。そして、この択一的な指示は、ユーザーからの表示指示動作の継続時間が所定継続時間以上の場合にはサムネイル画像の表示を、表示指示動作の継続時間が所定継続時間未満の場合にはフル画像の表示を、各々指示する。したがって、ユーザーは、入力手段に対し、画像表示までの時間を短くしたい場合には、表示指示動作の継続時間を所定継続時間以上とし、精度のよい画像を表示させたい場合には、表示指示動作の継続時間を所定継続時間未満とすることにより、ニーズにあわせて表示手段に画像を表示させることができる。
【００１０】
そして、ユーザーが所望の画像を表示手段で確認でき、表示手段にこの画像を表示させておきたい場合には、表示指示動作を解除すればよいが、ユーザーが所望の画像を確認してから表示指示動作を解除するまでには僅かではあるが時間が経過してしまっている。すなわち、ユーザーが所望の画像を確認した時と表示指示動作を解除する時との間にはタイムラグが発生している。そこで、本発明では、ユーザーによる表示指示動作の解除時より所定動作時間前に表示手段に表示されたサムネイル画像を表示手段に表示させる。これにより、上記タイムラグ分だけ前の画像を表示手段に表示させることができ、所望の画像を自動的に表示させることができる。
【００１１】
請求項２に記載の画像表示装置は、記憶手段に記憶された複数のフル画像及びこのフル画像に対応するサムネイル画像を読出す読出し手段と、前記フル画像及びサムネイル画像を表示する表示手段と、前記読出し手段に読出されたフル画像及びサムネイル画像の少なくとも一方を前記表示手段に表示させる制御手段と、ユーザーからの表示指示動作により前記表示手段へのフル画像の表示指示、及び、前記表示手段へのサムネイル画像の表示指示を前記制御手段へ択一的に入力可能とされ、ユーザーからの前記表示指示動作の継続時間が所定継続時間以上の場合には前記サムネイル画像の表示を指示し、前記表示指示動作の継続時間が所定継続時間未満の場合にはフル画像の表示を指示する入力手段と、を備え  前記制御手段は、前記サムネイル画像が前記表示手段に表示される表示時間が所定表示時間未満の場合には、前記表示時間が所定表示時間となるように前記表示手段を制御することを特徴とする、ものである。
【００１２】
一般的に、サムネイル画像は画像を構成するデータ量が少ないため、表示に要する時間は短くなるが、表示時間が短すぎるとユーザーが画像を確認できないという不都合も生じうる。そこで、サムネイル画像の表示手段への表示時間が所定表示時間未満の場合には、制御手段で、表示時間が所定表示時間となるように表示手段を制御する。ここで、所定表示時間とは、ユーザーが画像を目で確認することの可能な時間をいう。これにより、ユーザーは、確実に表示手段に表示された画像を確認することができる。
【発明の効果】
【００１３】
以上説明したように、本発明の画像表示装置によれば、サムネイル画像データを用いてコマ送り再生を行う場合に、ユーザーが所望する画像を適切に表示することができる。
【発明を実施するための最良の形態】
【００１４】
以下、図面を参照して本発明の画像表示装置について説明する。本実施形態では、画像表示装置としてデジタルカメラを例に説明する。
【００１５】
本実施形態のデジタルカメラ１０は、図１（Ａ）に示すように、筐体１２を備え、前面にレンズ１４、上面にレリーズボタン１６を備える。また、図１（Ｂ）に示すように、背面に液晶ディスプレイ（以下「ＬＣＤ」という）１８、ファインダ２０、指示キー２２、電源ＳＷ２４、及び、その他各種の入力を行うための複数の入力キー２６を備える。
【００１６】
ＬＣＤ１８には、後述する外部メモリ６０に記録されているフル画像やサムネイル画像、その他各種のメニュー画面、メッセージなどが表示可能とされている。
【００１７】
指示キー２２は、背面から見て、左側に配置された戻りキー２２Ａ、真ん中の決定キー２２Ｂ、右側に配置された先送りキー２２Ｃ、の３つのキーで構成されている。戻りキー２２Ａは、ＬＣＤ１８に表示されたカーソルを左または上に移動させるために用いられると共に、ＬＣＤ１８に再生表示されている画像を画像番号の小さい方へと順に戻すために用いられる。決定キー２２Ｂは、ＬＣＤ１８上のカーソルで選択された指示内容を決定して入力するために用いられる。先送りキー２２Ｃは、ＬＣＤ１８に表示されたカーソルを右または下に移動させるために用いられると共に、ＬＣＤ１８に再生表示されている画像を画像番号の大きい方へと順に先送りするために用いられる。
【００１８】
図２にデジタルカメラ１０の制御系の概略ブロック図を示す。デジタルカメラ１０には、レンズ１４を通過する光量を調整する絞り３２、光の通過時間を調整するシャッタ３４、及び、光を光電変換してアナログ画像信号を出力するＣＣＤ３６が備えられている。
【００１９】
ＣＣＤ３６はアナログ信号処理部３８と接続され、アナログ信号処理部２８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部３２は、入力されたデジタル信号に対して各種の処理を行い、デジタル画像データを生成する。
【００２０】
また、デジタルカメラ１０には、ＣＰＵ５０、内部メモリ５２、表示制御部５４、記録制御部５６、及び、圧縮／伸張部５８が備えられている。前述のデジタル信号処理部３２、ＣＰＵ５０、内部メモリ５２、表示制御部５４、記録制御部５６、及び、圧縮／伸張部５８は、バス５９を介して相互に接続されている。
【００２１】
ＣＰＵ５０は各種のプログラムを実行するなどしてデジタルカメラ１０全体の制御を行う。ＣＰＵ５０は、指示キー２２、電源ＳＷ２４、入力キー２６、及びレリーズボタン１６と接続されており、これらの各部から各種の指示が入力される。内部メモリ５２にはデジタル信号処理部４２で生成されたデジタル画像データ、デジタルカメラ１０の制御用の各種プログラム等が記憶されている。また、内部メモリ５２には、ユーザーが所望の画像をＬＣＤ１８上で確認した時と、指示キー２２を押下の解除する時のタイムラグを考慮して設定される所定時間Ｔ２、及び、ユーザーによりＬＣＤ１８上に表示された画像の確認が行われるために必要な表示時間としての所定時間Ｔ３が記憶されている。記録制御部５６は外部メモリ６０と接続可能とされており、外部メモリ６０へデジタル画像データを書き込む処理、及び、外部メモリ６０からデジタル画像データを読出す処理を実行可能とされている。表示制御部５４はＬＣＤ１８と接続されており、ＬＣＤ１８へ画像等を表示するための処理を行う。圧縮／伸張部５８は、デジタル画像データに対して圧縮処理及び伸張処理を行う。
【００２２】
さらに、デジタルカメラ１０には、レンズ１４を駆動させるためのレンズ駆動部６２、絞り３２を駆動させるための絞り駆動部６４、シャッタ３４を駆動させるためのシャッタ駆動部５６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。
【００２３】
次に、本実施形態の作用について説明する。
【００２４】
ユーザーがデジタルカメラ１０で被写体を撮影する際には、まず、電源ＳＷ２４から電源オンを入力する。これにより、デジタルカメラ１０の電源がオンされ、ＣＰＵ５０からレンズ駆動部６２へレンズ駆動の指示がなされ、レンズ１４が筐体１２の外側へ突出される。ユーザーが所定のシャッターチャンスでレリーズボタン１６を押すと、ＣＰＵ５０からシャッタ制御部５６へシャッタ制御の指示がなされ、シャッタ３４が駆動される。また、ＣＰＵ５０からＣＣＤ制御部５８へＣＣＤ制御の指示がなされ、ＣＣＤ２６は所定のタイミングで被写体からの光を受け取って光電変換し、光電変換して得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成される。このとき、デジタル画像データとして、Ｒ、Ｇ、Ｂ、各８ビットのフル画像データと、このフル画像データに対してダウンサイジング処理されたサムネイル画像データとが１セットで生成される。生成された１セットのデジタル画像データには画像番号が付され、圧縮／伸張部５８へ出力される。圧縮／伸張部５８では、フル画像データが圧縮処理され、圧縮後のフル画像データ及びサムネイル画像データが記録制御部５６に出力され、外部メモリ６０に記録される。
【００２５】
ユーザーが外部メモリ６０に記録された画像データをＬＣＤ１８へ再生表示させる際には、入力キー２６から再生表示モードへの切換え指示を入力する。この入力があると、最後に取り込まれたデジタル画像データのフル画像がＬＣＤ１８に表示され、ＣＰＵ５０では、図３に示す表示送り処理が行われる。
【００２６】
ステップＳ１０で、指示キー２２Ａまたは指示キー２２Ｃが押されるまで待機する。指示キー２２Ａは、現在表示されている画像の画像番号を基準として、外部メモリ６０に記録されている画像の中から次に画像番号の小さくなるデジタル画像データの表示を指示するものであり、指示キー２２Ｃは、次に画像番号の大きくなるデジタル画像データの表示を指示するものである。ここでは、指示キー２２Ａ、２２Ｃを区別せず、現在表示されている画像の画像番号を基準とした次の画像表示を指示する指示キー２２として説明する。
【００２７】
指示キー２２が押されると、ステップＳ１２で、指示キー２２の押下継続時間が所定時間Ｔ１以上かどうかを判断する。指示キー２２の押下継続時間が所定時間Ｔ１未満の場合には、ステップＳ１４で外部メモリ６０から次の画像番号の圧縮されているフル画像データを読み込み、ステップＳ１６でフル画像データを伸張し、ステップＳ１８でフル画像データに基づいてＬＣＤ１８へフル画像を表示して本処理を終了する。これにより、ユーザーは、指示キー２２を所定時間Ｔ１未満の時間で１回押すことにより、ＬＣＤ１８へフル画像を表示させて画像の確認を行うことができる。
【００２８】
フル指示キー２２の押下継続時間が所定時間Ｔ１以上の場合には、ステップＳ２０で、外部メモリ６０から次の画像番号（指示キー２２Ａの場合には１つ小さい画像番号、指示キー２２Ｃの場合には１つ大きい画像番号）のサムネイル画像データを読み込み、ステップＳ２２でサムネイル画像データに基づいてＬＣＤ１８へサムネイル画像を表示する。そして、ステップＳ２４で、指示キー２２の押下が解除されたかどうかを判断し、判断が否定された場合には、ステップＳ２６で、現在表示されているサムネイル画像の次の画像番号のサムネイル画像を読み込み、ステップＳ２２へ戻って以下の処理を繰り返す。これにより、ユーザーは、指示キー２２を所定時間Ｔ以上の時間押し続けることにより押下を解除するまでの間、ＬＣＤ１８へサムネイル画像を画像番号順に順次表示させて画像の確認を行うことができる。すなわち、上記処理によれば、ユーザーは１つの指示キー２２を、離散的に押すか、継続して押すかによって、ＬＣＤ１８へフル画像を表示させるか、サムネイル画像を表示させるかの切換えを行うことができる。サムネイル画像は、データ量が少ないため、表示に要する時間が短縮され、継続して押した場合に次の画像への表示切換えを高速で行うことができる。
【００２９】
また、ステップＳ２４での判断が肯定された場合には、ステップＳ２８で、所定時間Ｔ２前に表示されていた画像のサムネイル画像データを読み込み、ステップＳ３０でこのサムネイル画像を表示する。例えば、図４に示すように、ユーザーが所望する画像の画像番号が００７であった場合、ユーザーが指示キー２２の押圧を解除するのは、００７の表示から所定時間Ｔ２後で０１０の画像が表示されている時である。そこで、所定時間Ｔ２前に表示されていた００７の画像をＬＣＤ１８に表示させるようにするのである。これにより、ユーザーが所望の画像をＬＣＤ１８上で確認した時と、指示キー２２の押下を解除する時のタイムラグを解消して、ユーザーの所望の画像を適切に表示することができる。
【００３０】
なお、本実施形態では、所定時間Ｔ２だけ前の画像を表示させる構成を説明したが、ＬＣＤ１８に表示させる画像は、所定時間Ｔ２前のものとせず、所定コマ数（例えば１〜２コマ）分前に表示された画像を表示させることもできる。
【００３１】
また、サムネイル画像データは、フル画像データと比較してデータ量が少ないため、上記表示送り処理では表示切換えが高速になり、１枚の画像のＬＣＤ１８への表示時間が短すぎて、ユーザーが画像の確認をできなくなることも生じうる。そこで、ユーザーによる画像確認が確実に行われるようにするため、サムネイル画像の表示時間が所定時間Ｔ３以上になるように設定する場合には、図５に示す手順による。
【００３２】
ステップＳ１０〜ステップＳ２４については、上記と同様であるので詳細な説明は省略する。ステップＳ２４での判断が否定された場合には、ステップＳ２６で現在表示されているサムネイル画像の次の画像番号のサムネイル画像を読み込み、ステップＳ３２で、所定時間Ｔ３経過するまで待機する。すなわち、次のサムネイル画像の表示前に、所定時間Ｔ３経過するまで待機することで、前に表示されたサムネイル画像を所定時間Ｔ３以上の間表示させておくことができる。
【００３３】
本処理によれば、サムネイル画像の表示時間が短いために、ユーザーが画像確認できなくなるという不都合を解消し、適切な画像の表示をおこなうことができる。
【００３４】
なお、上記実施形態では、画像表示装置としてデジタルカメラを例に説明したが、本発明は、他に、携帯電話、パーソナルコンピュータ、ＰＤＡ（Ｐｅｒｓｏｎａｌ  ｄｉｇｉｔａｌ  ａｓｓｉｓｔａｎｔ）などのあらゆる画像表示装置に適用することができる。
【図面の簡単な説明】
【００３５】
【図１】本実施形態のデジタルカメラの（Ａ）は前面図であり、（Ｂ）は背面図である。
【図２】本実施形態のデジタルカメラの制御系の概略ブロック図である。
【図３】表示送り処理のフローチャートである。
【図４】所定時間前の画像表示を説明するための説明図である。
【図５】表示送り処理の変形例のフローチャートである。
【符号の説明】
【００３６】
１０  デジタルカメラ（画像表示装置）
１８  ＬＣＤ（表示手段）
２２  指示キー（入力手段）
２６  入力キー
５０  ＣＰＵ（制御手段）
５２  内部メモリ（記憶手段）
６０  外部メモリ（記憶手段）
Ｔ１  所定時間（所定継続時間）
Ｔ２  所定時間（所定動作時間）
Ｔ３  所定時間（所定表示時間）
【図１】
2005274661.tif 000003
【図２】
2005274661.tif 000004
【図３】
2005274661.tif 000005
【図４】
2005274661.tif 000006
【図５】
2005274661.tif 000007